(57)【要約】【課題】１台のカメラで複数の検知機能を実現する。【解決手段】一実施形態に係るエレベータの利用者検知システムは、撮像手段と、検知エリア設定手段と、検知処理手段とを備える。上記撮像手段は、乗りかご内に設置され、超広角レンズを有し、少なくとも上記乗りかご内の全体を撮影する。上記検知エリア設定手段は、この撮像手段によって撮影された画像上で少なくとも２つ以上の検知エリアを設定する。上記検知処理手段は、この検知エリア設定手段によって設定された検知エリア毎に上記乗りかごの運転動作に関連した検知処理を実行する。【選択図】      図１
2020179995.tif 000002
【特許請求の範囲】
【請求項１】
乗りかご内に設置され、超広角レンズを有し、少なくとも上記乗りかご内の全体を撮影可能な撮像手段と、
この撮像手段によって撮影された画像上で少なくとも２つ以上の検知エリアを設定する検知エリア設定手段と、
この検知エリア設定手段によって設定された検知エリア毎に上記乗りかごの運転動作に関連した検知処理を実行する検知処理手段と
を具備したことを特徴とするエレベータの利用者検知システム。
【請求項２】
上記撮像手段は、
上記乗りかご内の全体と上記乗りかごの出入口付近の乗場を撮影することを特徴とする請求項１記載のエレベータの利用者検知システム。
【請求項３】
上記乗りかごの運転動作に関連した検知処理には、上記乗りかごの戸開動作中あるいは戸閉動作中における利用者または物の検知処理が含まれることを特徴とする請求項１記載のエレベータの利用者検知システム。
【請求項４】
上記乗りかごの運転動作に関連した検知処理には、上記乗りかごの昇降動作中における利用者または物の検知処理が含まれることを特徴とする請求項１記載のエレベータの利用者検知システム。
【請求項５】
上記乗りかごの運転動作に関連した検知処理には、上記乗りかごの停止中における利用者または物の検知処理が含まれることを特徴とする請求項１記載のエレベータの利用者検知システム。
【請求項６】
上記検知エリア設定手段は、
少なくとも、上記乗りかごの床面に第１の検知エリアと上記乗りかごのドア近傍に第２の検知エリアを設定し、
上記検知処理手段は、
上記第１の検知エリアの画像に基づいて、上記乗りかご内の利用者の乗車状況を検知し、
上記第２の検知エリアの画像に基づいて、上記乗りかごのドアへの利用者の挟まれを事前に検知することを特徴とする請求項１、３、４、５のいずれか１項に記載のエレベータの利用者検知システム。
【請求項７】
上記検知エリア設定手段は、
少なくとも、上記乗りかごの出入口周辺の乗場に第３の検知エリアと上記乗場の上記乗りかごの出入口近傍に第４の検知エリアを設定し、
上記検知処理手段は、
上記第３の検知エリアの画像に基づいて、上記乗場の利用者の待ち状況を検知し、
上記第４の検知エリアの画像に基づいて、上記乗りかごの出入口に接近する利用者を検知することを特徴とする請求項２または３に記載のエレベータの利用者検知システム。
【請求項８】
上記撮像手段は、
上記乗りかごの出入口上部に設置されることを特徴とする請求項１記載のエレベータの利用者検知システム。
【請求項９】
上記検知処理手段の検知結果に基づいて、上記乗りかごの運転を制御する運転制御手段をさらに具備したことを特徴とする請求項１記載のエレベータの利用者検知システム。
【請求項１０】
上記検知処理手段の検知結果に基づいて、上記乗りかごのドアの戸開閉を制御する戸開閉制御手段をさらに具備したことを特徴とする請求項１記載のエレベータの利用者検知システム。
【請求項１１】
上記検知処理手段の検知結果に基づいて、上記乗りかご内の利用者に注意を喚起する通知手段をさらに具備したことを特徴とする請求項１記載のエレベータの利用者検知システム。
【発明の詳細な説明】
【技術分野】
【０００１】
本発明の実施形態は、エレベータの利用者検知システムに関する。
【背景技術】
【０００２】
従来、エレベータの乗りかご内や乗場にカメラを設置しておき、これらのカメラで撮影した画像に基づいて利用者の乗降動作や乗場の待ち人数を検知してエレベータの運転制御に反映させるシステムが知られている。
【先行技術文献】
【特許文献】
【０００３】
【特許文献１】特許５２７４３８６号公報
【特許文献２】特開２００２−２９３４８４号公報
【発明の概要】
【発明が解決しようとする課題】
【０００４】
上述したシステムの多くは、カメラの撮影画像を用いて単一の検知機能を実現するものであり、複数の異なる検知機能を実現するためには、センシング対象となるエリア毎にカメラを必要とする。
【０００５】
本発明が解決しようとする課題は、１台のカメラで複数の検知機能を実現することのできるエレベータの利用者検知システムを提供することである。
【課題を解決するための手段】
【０００６】
一実施形態に係るエレベータの利用者検知システムは、撮像手段と、検知エリア設定手段と、検知処理手段とを備える。上記撮像手段は、乗りかご内に設置され、超広角レンズを有し、少なくとも上記乗りかご内の全体を撮影する。上記検知エリア設定手段は、この撮像手段によって撮影された画像上で少なくとも２つ以上の検知エリアを設定する。上記検知処理手段は、この検知エリア設定手段によって設定された検知エリア毎に上記乗りかごの運転動作に関連した検知処理を実行する。
【図面の簡単な説明】
【０００７】
【図１】図１は一実施形態に係るエレベータの利用者検知システムの構成を示す図である。
【図２】図２は同実施形態における乗りかご内の出入口周辺部分の構成を示す図である。
【図３】図３は同実施形態におけるカメラの撮影画像の一例を示す図である。
【図４】図４は上記撮影画像に設定される複数の検知エリアを説明するための図である。
【図５】図５は同実施形態における実空間での座標系を説明するための図である。
【図６】図６は同実施形態における利用者検知システムの全体の処理の流れを示すフローチャートである。
【図７】図７は図６のステップＳ１５で実行される検知処理の動作を示すフローチャートである。
【図８】図８は同実施形態における検知エリアＥ１に応じた検知処理を説明するための図である。
【図９】図９は同実施形態における検知エリアＥ２に応じた検知処理を説明するための図である。
【図１０】図１０は同実施形態における片開きタイプのかごドアが用いられた乗りかご内の出入口周辺部分の構成を示す図である。
【図１１】図１１は上記片開きタイプのかごドアの開閉動作を説明するための図である。
【図１２】図１２は同実施形態における検知エリアＥ３に応じた検知処理を説明するための図である。
【図１３】図１３は同実施形態における検知エリアＥ４に応じた検知処理を説明するための図である。
【図１４】図１４は図６のステップＳ１７で実行される対応処理の動作を示すフローチャートである。
【図１５】図１５は応用例としてエレベータの群管理システムの構成を示す図である。
【発明を実施するための形態】
【０００８】
以下、図面を参照して実施形態を説明する。
なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。
【０００９】
図１は一実施形態に係るエレベータの利用者検知システムの構成を示す図である。なお、ここでは、１台の乗りかごを例にして説明するが、複数台の乗りかごでも同様の構成である。
【００１０】
乗りかご１１の出入口上部にカメラ１２が設置されている。具体的には、カメラ１２は、乗りかご１１の出入口上部を覆う幕板１１ａの中にレンズ部分を直下方向に向けて設置される。カメラ１２は、例えば魚眼レンズ等の超広角レンズを有し、１８０度以上の視野角で乗りかご１１内を含む撮影対象を広範囲に撮影する。カメラ１２は、１秒間に数コマ（例えば３０コマ／秒）の画像を連続的に撮影可能である。
【００１１】
なお、カメラ１２の設置場所は、かごドア１３付近であれば、乗りかご１１の出入口上部でなくても良い。例えば、乗りかご１１の出入口に近い天井面など、乗りかご１１内の床面全域を含むかご室内全体と戸開時に出入口付近の乗場１５を撮影可能な場所であれば良い。
【００１２】
各階の乗場１５において、乗りかご１１の到着口には乗場ドア１４が開閉自在に設置されている。乗場ドア１４は、乗りかご１１の到着時にかごドア１３に係合して開閉動作する。なお、動力源（ドアモータ）は乗りかご１１側にあり、乗場ドア１４はかごドア１３に追従して開閉するだけである。以下の説明においては、かごドア１３を戸開している時には乗場ドア１４も戸開しており、かごドア１３が戸閉している時には乗場ドア１４も戸閉しているものとする。
【００１３】
カメラ１２によって連続的に撮影された各画像（映像）は、画像処理装置２０によってリアルタイムに解析処理される。なお、図１では、便宜的に画像処理装置２０を乗りかご１１から取り出して示しているが、実際には、画像処理装置２０はカメラ１２と共に幕板１１ａの中に収納されている。
【００１４】
画像処理装置２０には、記憶部２１と検知部２２とが備えられている。記憶部２１は、カメラ１２によって撮影された画像を逐次保存すると共に、検知部２２の処理に必要なデータを一時的に保存しておくためのバッファエリアを有する。なお、記憶部２１には、撮影画像に対する前処理として、歪み補正や拡大縮小、一部切り取り等の処理が施された画像が保存されるとしても良い。
【００１５】
検知部２２は、カメラ１２の撮影画像を用いて乗りかご１１内や乗場１５にいる利用者を検知する。この検知部２２を機能的に分けると、検知エリア設定部２２ａ、検知処理部２２ｂで構成される。
【００１６】
検知エリア設定部２２ａは、カメラ１２の撮影画像上で、利用者（エレベータを利用する人）または物を検知するための少なくとも２つ以上の検知エリアを設定する。ここで言う「物」とは、例えば利用者の衣服や荷物、さらに車椅子等の移動体を含む。さらに、例えばかご内の操作ボタンやランプ、表示機器等、エレベータ設備に関係する機器類も含まれる。なお、検知エリアの設定方法については、後に図３および図４を参照して詳しく説明する。
【００１７】
検知処理部２２ｂは、この検知エリア設定部２２ａによって設定された検知エリア毎に乗りかご１１の運転動作に関連した検知処理を実行する。「乗りかご１１の運転動作に関連した検知処理」とは、乗りかご１１の戸開閉などの運転状態に応じて、利用者や物を検知する処理のことであり、乗りかご１１の戸開動作中あるいは戸閉動作中、昇降動作中、運転停止中のいずれか少なくとも１つ以上の運転状態が含まれる。この検知処理についても、後に図３および図４を参照して詳しく説明する。
【００１８】
なお、画像処理装置２０の一部あるいは全部の機能をエレベータ制御装置３０に持たせることでも良い。
【００１９】
エレベータ制御装置３０は、乗りかご１１に設置される各種機器類（行先階ボタンや照明等）の動作を制御する。また、エレベータ制御装置３０は、運転制御部３１と戸開閉制御部３２と通知部３３とを備える。運転制御部３１は、乗りかご１１の運転制御を行う。戸開閉制御部３２は、乗りかご１１が乗場１５に到着したときのかごドア１３の戸開閉を制御する。詳しくは、戸開閉制御部３２は、乗りかご１１が乗場１５に到着したときにかごドア１３を戸開し、所定時間経過後に戸閉する。
【００２０】
ここで、例えばかごドア１３の戸開動作中に検知処理部２２ｂによって利用者または物が検知された場合には、戸開閉制御部３２は、ドア事故（戸袋への引き込まれ事故）を回避するための戸開閉制御を行う。具体的には、戸開閉制御部３２は、かごドア１３の戸開動作を一時停止するか、逆方向（戸閉方向）に動かす、あるいは、かごドア１３の戸開速度を遅くする。通知部３３は、検知処理部２２ｂによって検知結果に基づいて、乗りかご１１内の利用者に注意を喚起する。
【００２１】
図２は乗りかご１１内の出入口周辺部分の構成を示す図である。
乗りかご１１の出入口にかごドア１３が開閉自在に設けられている。図２の例では２枚戸両開きタイプのかごドア１３が示されており、かごドア１３を構成する２枚のドアパネル１３ａ，１３ｂが間口方向（水平方向）に沿って互いに逆方向に開閉動作する。なお、「間口」とは、乗りかご１１の出入口と同じである。
【００２２】
乗りかご１１の出入口の両側に正面柱４１ａ，４１ｂが設けられており、幕板１１ａと共に乗りかご１１の出入口を囲っている。「正面柱」は、出入口柱あるいは出入口枠とも言い、裏側にはかごドア１３を収納するための戸袋が設けられているのが一般的である。図２の例では、かごドア１３が戸開したときに、一方のドアパネル１３ａが正面柱４１ａの裏側に設けられた戸袋４２ａに収納され、他方のドアパネル１３ｂが正面柱４１ｂの裏側に設けられた戸袋４２ｂに収納される。
【００２３】
正面柱４１ａ，４１ｂの一方あるいは両方に表示器４３や、行先階ボタン４４などが配設された操作盤４５、スピーカ４６が設置されている。図２の例では、正面柱４１ａにスピーカ４６、正面柱４１ｂに表示器４３、操作盤４５が設置されている。
【００２４】
ここで、乗りかご１１の出入口上部の幕板１１ａの中央部に、魚眼レンズ等の超広角レンズを有するカメラ１２が設置されている。
【００２５】
図３はカメラ１２の撮影画像の一例を示す図である。かごドア１３（ドアパネル１３ａ，１３ｂ）と乗場ドア１４（ドアパネル１４ａ，１４ｂ）が全開した状態で、乗りかご１１の出入口上部から１８０度以上の視野角でかご室内全体と出入口付近の乗場１５を撮影した場合を示している。上側は乗場１５、下側は乗りかご１１内である。
【００２６】
乗場１５において、乗りかご１１の到着口の両側に三方枠１７ａ，１７ｂが設けられており、その三方枠１７ａ，１７ｂの間の床面１６に所定の幅を有する帯状の乗場シル１８が乗場ドア１４の開閉方向に沿って配設されている。また、乗りかご１１の床面１９の出入口側に所定の幅を有する帯状のかごシル４７がかごドア１３の開閉方向に沿って配設されている。
【００２７】
ここで、撮影画像に写されている乗りかご１１内と乗場１５に対して、利用者または物は物を検知するための検知エリアＥ１〜Ｅ４が設定される。
【００２８】
・検知エリアＥ１は、乗りかご１１内における利用者の乗車状態（利用者の乗車位置、乗車人数等）を検知するためのエリア（乗車検知エリア）であり、少なくとも床面１９の全域に設定される。なお、この検知エリアＥ１に、かご室内を囲む正面柱４１ａ，４１ｂ、側面４８ａ，４８ｂ、背面４９を含めることでも良い。
【００２９】
具体的には、図４に示すように、検知エリアＥ１は、床面１９の横幅Ｗ１，縦幅Ｗ２に合わせて設定される。また、検知エリアＥ１は、正面柱４１ａ，４１ｂ、側面４８ａ，４８ｂ、背面４９に対して、床面１９から高さｈ１の位置まで設定される。高さｈ１は、任意である。
【００３０】
・検知エリアＥ２−１，Ｅ２−２は、戸開動作中における利用者のドア挟まれを事前に検知するためのエリア（ドア挟まれ検知エリア）であり、正面柱４１ａ，４１ｂの内側側面４１ａ−１，４１ｂ−１に設定される。
【００３１】
具体的には、図４に示すように、検知エリアＥ２−１，Ｅ２−２は、正面柱４１ａ，４１ｂの内側側面４１ａ−１，４１ｂ−１の幅方向に所定の幅Ｄ１，Ｄ２を有して帯状に設定される。上記幅Ｄ１，Ｄ２は、例えば内側側面４１ａ−１，４１ｂ−１の横幅（短手方向の幅）と同じか、あるいは、若干小さく設定される。上記幅Ｄ１，Ｄ２と同じ値でも、異なる値でも良い。また、検知エリアＥ２−１，Ｅ２−２は、床面１９から高さｈ２の位置まで設定される。高さｈ２は、任意であり、ｈ１と同じ値でも、異なる値でも良い。
【００３２】
・検知エリアＥ３は、乗場１５の状況（利用者の待ち位置、待ち人数等）を検知するためのエリア（乗場状況検知エリア）であり、乗りかご１１の出入口周辺に設定される。
【００３３】
具体的には、図４に示すように、検知エリアＥ３は、乗りかご１１の出入口から乗場１５の方向に所定の距離Ｌ１を有して設定される。図中のＷ０は出入口の横幅である。なお、検知エリアＥ３の形状はＷ０と同等あるいはＷ０以上の横方向（Ｘ方向）のサイズを有する矩形であっても良いし、三方枠１７ａ，１７ｂの死角を除いた台形であっても良い。また、検知エリアＥ３の縦方向（Ｙ方向）および横方向（Ｘ方向）のサイズは、固定であっても良いし、かごドア１３の開閉動作に合わせて動的に変更されるものであっても良い。
【００３４】
・検知エリアＥ４は、乗場１５から乗りかご１１に接近中の利用者または物を検知するためのエリア（接近検知エリア）であり、乗場１５の乗りかご１１の出入口近くに設定される。
【００３５】
具体的には、図４に示すように、検知エリアＥ４は、乗りかご１１の出入口から乗場１５の方向に所定の距離Ｌ２を有して設定される（Ｌ１＞Ｌ２）。検知エリアＥ３の形状はＷ０と同等あるいはＷ０以上の横方向（Ｘ方向）のサイズを有する矩形であっても良いし、三方枠１７ａ，１７ｂの死角を除いた台形であっても良い。検知エリアＥ４は、検知エリアＥ３に含まれ、かごドア１３の開閉動作に合わせて、検知エリアＥ３と連動して動的に変更されるものであっても良い。
【００３６】
なお、図３では、撮影画像上で４つの検知エリアＥ１〜Ｅ４を設定した例を示したが、さらに細かく検知エリアを設定することでも良い。例えば、かごシル４７に沿って検知エリアを設定しておくでも良い。この検知エリアは、かごドア１３が２枚戸両開きタイプの場合に、戸閉動作中におけるドア間挟まれを事前に検知するためのエリアとして用いられる。また、例えば図２に示した乗りかご１１内の操作盤４５に検知エリアを設定しておき、操作盤４５上の各種ボタンの状態を検知する構成としても良い。
【００３７】
検知エリア設定部２２ａは、乗りかご１１の各構成部の設計値やカメラ１２に固有のパラメータ値に基づいて撮影画像の３次元座標計算を行い、撮影画像上のどこに何が映っているのかを判定して、検知対象とする場所に検知エリアを設定する。
【００３８】
３次元座標とは、図５に示すように、かごドア１３と水平の方向をＸ軸とし、かごドア１３の中心から乗場１５の方向（かごドア１３に対して垂直の方向）をＹ軸とし、乗りかご１１の高さ方向をＺ軸とした場合の座標である。
【００３９】
次に、本システムの動作について詳しく説明する。  
図６は本システムにおける全体の処理の流れを示すフローチャートである。
【００４０】
まず、初期設定として、画像処理装置２０に備えられた検知部２２の検知エリア設定部２２ａによって検知エリア設定処理が実行される（ステップＳ１１）。この検知エリア設定処理は、例えばカメラ１２を設置したとき、あるいは、カメラ１２の設置位置を調整したときに、以下のようにして実行される。
【００４１】
すなわち、検知エリア設定部２２ａは、カメラ１２によって撮像された画像上で、図３に示した複数の検知エリアＥ１〜Ｅ４を設定する。上述したように、検知エリアＥ１は、「乗車状況検知エリア」として用いられ、少なくとも床面１９の全域に設定され、かご室内を囲む正面柱４１ａ，４１ｂ、側面４８ａ，４８ｂ、背面４９を含めて設定されることでも良い。
【００４２】
検知エリアＥ２−１，Ｅ２−２は、「ドア挟まれ検知エリア」として用いられ、正面柱４１ａ，４１ｂの内側側面４１ａ−１，４１ｂ−１に設定される。検知エリアＥ３は、「乗場状況検知エリア」として用いられ、乗りかご１１の出入口から乗場１５の方向に向けて設定される。検知エリアＥ４は、「接近検知エリア」として用いられ、乗りかご１１の出入口近くに設定される。
【００４３】
撮影画像上で床面１９や正面柱４１ａ，４１ｂ、さらに乗場１５などが映る領域は、乗りかご１１の各構成部の設計値や、カメラ１２の固有値に基づいて算出される。
【００４４】
・間口の幅（かごの出入口の横幅）  
・ドアの高さ  
・柱の幅  
・ドアのタイプ（両開き／右側あるいは左側の片開き）  
・床や壁の面積  
・間口に対するカメラの相対位置（３次元）  
・カメラの角度（３軸）  
・カメラの画角（焦点距離）
検知エリア設定部２２ａは、これらの値に基づいて撮影画像上で検知対象が映る領域を算出する。例えば、正面柱４１ａ，４１ｂであれば、検知エリア設定部２２ａは、間口（出入口）の両端から垂直に正面柱４１ａ，４１ｂが立っていると仮定し、間口に対するカメラ１２の相対位置・角度・画角を基に正面柱４１ａ，４１ｂの３次元座標を算出する。
【００４５】
なお、例えば図４に示すように、かごシル４７のかご内側の両端にマーカｍ１，ｍ２をそれぞれに置いておき、そのマーカｍ１，ｍ２の位置を基準にして正面柱４１ａ，４１ｂの３次元座標を求めても良い。あるいは、かごシル４７のかご内側の両端部の位置を画像処理によって求め、その位置を基準にして正面柱４１ａ，４１ｂの３次元座標を求めても良い。
【００４６】
検知エリア設定部２２ａは、正面柱４１ａ，４１ｂの３次元座標を撮影画像上の２次元座標に投影して、撮影画像上における正面柱４１ａ，４１ｂが映る領域を求め、当該領域内で検知エリアＥ２−１，Ｅ２−２を設定する。詳しくは、検知エリア設定部２２ａは、正面柱４１ａ，４１ｂの内側側面４１ａ−１，４１ｂ−１の長手方向に沿って所定の幅Ｄ１，Ｄ２を有する検知エリアＥ２−１，Ｅ２−２を設定する。
【００４７】
検知エリアＥ２−１，Ｅ２−２の設定処理は、かごドア１３を戸開した状態で実行しても良いし、かごドア１３を戸閉した状態で実行しても良い。かごドア１３を戸閉した状態の方がカメラ１２の撮影画像に乗場１５が映り込まない分、検知エリアＥ２−１，Ｅ２−２を設定しやすい。
【００４８】
なお、通常、かごシル４７の横幅（短手方向の幅）はかごドア１３の厚みよりも広い。このため、かごドア１３が全閉状態にあっても、かごシル４７の一端側が撮影画像に映り込んでいる。したがって、その一端側の位置を基準に正面柱４１ａ，４１ｂの位置を特定して、検知エリアＥ２−１，Ｅ２−２を設定することができる。
【００４９】
その他の検知エリアＥ１，Ｅ３，Ｅ４についても同様であり、乗りかご１１の各構成部の設計値や、カメラ１２の固有値に基づいて撮影画像上で検知対象が映る各領域を求め、これらの領域内で検知エリアＥ１，Ｅ３，Ｅ４を設定する。
【００５０】
続いて、乗りかご１１の運転時の動作について説明する。  
図６に示すように、乗りかご１１が任意の階の乗場１５に到着すると（ステップＳ１２のＹｅｓ）、エレベータ制御装置３０は、かごドア１３を戸開する（ステップＳ１３）。
【００５１】
このとき（かごドア１３の戸開動作中）、超広角レンズを有するカメラ１２によって乗りかご１１内と乗場１５が所定のフレームレート（例えば３０コマ／秒）で撮影される。画像処理装置２０は、カメラ１２で撮影された画像を時系列で取得し、これらの画像を記憶部２１に逐次保存しながら（ステップＳ１４）、以下のような検知処理をリアルタイムで実行する（ステップＳ１５）。なお、撮影画像に対する前処理として、歪み補正や、拡大縮小、画像の一部の切り取りなどを行っても良い。
【００５２】
図７に上記ステップＳ１５で実行される検知処理に関するフローチャートを示す。  
検知処理は、画像処理装置２０に備えられた検知部２２の検知処理部２２ｂによって検知エリア毎に実行される。すなわち、検知処理部２２ｂは、カメラ１２によって時系列で得られる複数の撮影画像から検知エリアＥ１〜Ｅ４内の画像をそれぞれ抽出することにより、これらの画像を解析処理して各検知エリアＥ１〜Ｅ４に応じた検知処理を行う。
【００５３】
（ａ）検知エリアＥ１に応じた検知処理
図８に示すように、検知処理部２２ｂは、乗りかご１１の床面１９に設定された検知エリアＥ１内の画像を解析処理して、乗りかご１１内における利用者の乗車位置や乗車人数等を含む乗車状況を検知する（ステップＳ２１）。
【００５４】
図８のＰ１〜Ｐ５は利用者の画像を模擬的に表している。なお、乗車位置については、利用者一人一人の正確な位置でなく、例えば乗りかご１１の床面１９で利用者が集中している場所を検知することでも良い。また、乗車人数についても、正確な人数ではなく、例えば乗りかご１１の床面１９に対して利用者が占める割合をかご内の混雑度として検知することでも良い。
【００５５】
このように、検知エリアＥ１内の画像を用いて乗車状況を検知することで、例えばかごドア１３前に利用者が集中しているような場合に、乗りかご１１内の利用者に対して奥に詰めるようにガイダンスすることができる。また、多数の利用者が乗車して混雑状況にある場合に、当該乗りかご１１に対する乗場呼びの割り当てを抑制するなどの運転制御を行うことができる。
【００５６】
また、図３に示したように、かご室内を囲む正面柱４１ａ，４１ｂ、側面４８ａ，４８ｂ、背面４９を含めて検知エリアＥ１を設定しておくことで、例えば利用者が正面柱４１ａ，４１ｂに接触している状況など、乗りかご１１内における利用者の乗車状況をより詳細に検知することができる。
【００５７】
なお、画像を解析処理して利用者または物を検知する方法については、例えば基本画像と撮影画像とを比較する差分法の他、利用者または物の動きをブロック単位で追従していく動き検知方法などがある。その他の方法として、検知エリア内の画像からエレベータ構造物以外の物体を認識し、その認識結果に基づいて利用者または物の存在を判断することでも良い。物体認識の手法は一般に知られているもので良い。例えば、ディープラーニングやＳＶＭ（Support Vector Machine）、ランダムフォレストなどがある。
【００５８】
（ｂ）検知エリアＥ２に応じた検知処理
検知処理部２２ｂは、正面柱４１ａ，４１ｂの内側側面４１ａ−１，４１ｂ−１に設定された検知エリアＥ２−１，Ｅ２−２内の画像を解析処理して、戸開時にかごドア１３への挟まれ検知を行う（ステップＳ２２）。ここで言う「かごドア１３への挟まれ検知」とは、２枚戸両開きタイプのかごドア１３において、戸開時に利用者が戸袋４２ａ，４２ｂへの引き込まれることを事前に検知することである。すなわち、例えば図９に示すように、戸開時に利用者が正面柱４１ａの内側側面４１ａ−１に手をついたときに、その手が戸袋４２ａに引き込まれる前に検知することである。
【００５９】
なお、図１０に示すような片開きタイプであっても同様である。  
図１０は２枚戸片開きタイプのかごドアが用いられた乗りかご内の出入口周辺部分の構成を示す図である。この例では、乗りかご１１の出入口に２枚戸片開きタイプのかごドア１３が開閉自在に設置されている。かごドア１３は、図１１に示すように２枚のドアパネル１３ａ，１３ｂを有し、これらが間口方向に沿って同じ方向に開閉動作する。
【００６０】
かごドア１３が片開きタイプの場合、戸袋４２ａが出入口の片側だけに設けられる。図１０の例では、出入口の左側に戸袋４２ａが設けられており、戸開時に２枚のドアパネル１３ａ，１３ｂが戸袋４２ａの中に重なった状態で収納される。
【００６１】
この場合、カメラ１２は超広角レンズを有して広範囲に撮影できるため、戸袋４２ａ側に寄せておく必要はなく、出入口の中央部で設置されていれば良い。このカメラ１２で撮影された画像上で戸袋４２ａ側の正面柱４１ａに対して検知エリアＥ２−１を設定しておく。これにより、例えば利用者の手が戸袋４２ａの近くにある場合に、検知エリアＥ２−１内の画像からその状態を検知できる。
【００６２】
なお、図１０において、他方の正面柱４１ｂに対しても検知エリアＥ２−２を設定しておけば、戸閉時にかごドア１３の側端部が当たる事故（戸当たり事故）を未然に防ぐことができる。
【００６３】
（ｃ）検知エリアＥ３に応じた検知処理
図１２に示すように、検知処理部２２ｂは、乗場１５の周辺に設定された検知エリアＥ３内の画像を解析処理して、乗場１５における利用者の待ち位置、待ち人数等を含む乗場状況を検知する（ステップＳ２３）。
【００６４】
図１２のＰ１〜Ｐ４は利用者の画像を模擬的に表している。なお、待ち位置については、利用者一人一人の正確な位置でなく、利用者が集中している場所を検知することでも良い。また、待ち人数についても、正確な人数ではなく、例えば検知エリアＥ３内で乗りかご１１の床面１９に対して利用者が占める割合を乗場１５の混雑度として検知することでも良い。
【００６５】
このように、検知エリアＥ３内の画像を用いて乗場状況を検知することで、例えば乗場１５に多数の利用者が待っていた場合に、少しでも多くの利用者を乗車させるために、乗りかご１１内の利用者に対して奥に詰めるようにガイダンスすることができる。
【００６６】
（ｄ）検知エリアＥ４に応じた検知処理
検知処理部２２ｂは、乗場１５の乗りかご１１の出入口近くに設定された検知エリアＥ４内の画像を解析処理して、戸開時に乗場１５から乗りかご１１に接近中の利用者または物を検知する（ステップＳ２４）。
【００６７】
詳しくは、検知処理部２２ｂは、カメラ１２から時系列で得られる各画像について、検知エリアＥ４内の画像をブロック単位で比較することで、かごドア１３の中心から乗場１５の方向、つまりＹ軸方向に移動中の利用者の足元位置の動きを検知する。
【００６８】
この様子を図１３に示す。  
図１３は画像比較による動き検知を説明するための図である。図１３（ａ）は時間ｔｎで撮影された画像の一部、同図（ｂ）は時間ｔｎ＋１で撮影された画像の一部を模式的に示している。図中のＰ１，Ｐ２は撮影画像上で動きありとして検知された利用者の画像部分であり、実際には画像比較によって動きありとして検知されたブロックの集合体である。
【００６９】
画像部分Ｐ１，Ｐ２の中でかごドア１３に最も近い動きありのブロックＢｘを抽出し、そのブロックＢｘのＹ座標を追うことで乗車意思の有無を判定する。この場合、Ｙ軸方向に点線で示すような等距離線（かごドア１３と平行な等間隔の水平線）を引けば、ブロックＢｘとかごドア１３とのＹ軸方向の距離が分かる。
【００７０】
図１３の例では、かごドア１３に最も近い動きありのブロックＢｘの検知位置がｙｎ→ｙｎ−１に変化しており、乗車意思を有する利用者がかごドア１３に近づいてくることがわかる。
【００７１】
その他、例えば検知エリア毎に利用者の移動軌跡や利用者の属性（車椅子、ベビーカー、高齢者等）を検知する処理を加えることでも良い。
【００７２】
図６に戻って、検知エリア毎に検知処理が実行されると、これらの検知処理の結果が画像処理装置２０からエレベータ制御装置３０に対して出力される（ステップＳ１６）。エレベータ制御装置３０は、検知エリア毎の検知結果を受信することにより、それぞれの検知結果に応じた対応処理を実行する（ステップＳ１７）。
【００７３】
上記ステップＳ１７で実行される対応処理は、検知エリア毎に異なり、例えば検知エリアＥ１であれば、乗りかご１１内の乗車状況に応じた処理である。具体的には、例えばかごドア１３前に利用者が集中しているような場合に、エレベータ制御装置３０は、通知部３３を通じて乗りかご１１内の利用者に対して奥に詰めるようにガイダンスするなどである。また、多数の利用者が乗車して混雑状況にある場合に、エレベータ制御装置３０は、運転制御部３１を通じて当該乗りかご１１に対する乗場呼びの割り当てを抑制するなどの運転制御を行う。
【００７４】
一例として、検知エリアＥ２−１，Ｅ２−２内で利用者または物が検知された場合の対応処理について、図１４を参照して説明する。
【００７５】
かごドア１３の戸開動作中に、正面柱４１ａ，４１ｂの内側側面４１ａ−１，４１ｂ−１に設定された検知エリアＥ２−１，Ｅ２−２内で利用者または物の存在が検知されると（ステップＳ３１のＹｅｓ）、エレベータ制御装置３０の戸開閉制御部３２は、かごドア１３の戸開動作を一時停止し、数秒後にその停止位置から戸開動作を再開する（ステップＳ３２）。なお、かごドア１３の戸開速度を通常より遅くすることや、あるいは、かごドア１３を逆方向（戸閉方向）に若干移動させてから戸開動作を再開することでも良い。
【００７６】
また、エレベータ制御装置３０の通知部３３は、乗りかご１１内のスピーカ４６を通じて音声アナウンスを行い、利用者に対して戸袋４２ａ，４２ｂから離れるように注意を喚起する（ステップＳ３３）。なお、通知の方法は音声アナウンスに限らず、例えば「戸袋の近くは危険ですので、すぐに離れて下さい。」といったようなメッセージを表示することでも良いし、音声アナウンスとメッセージ表示を併用することでも良い。さらに、警告音を鳴らすことでも良い。
【００７７】
検知エリアＥ２−１，Ｅ２−２内で利用者または物の存在が検知されている間、上記処理が繰り返される。これにより、例えば利用者が戸袋４２ａの近くに手を置いている場合に、戸袋４２ａに引き込まれることを未然に防ぐことができる。
【００７８】
検知エリアＥ２−１，Ｅ２−２内で利用者または物の存在が検知されなかった場合には（ステップＳ３１のＮｏ）、エレベータ制御装置３０はかごドア１３の全戸開後に戸閉動作を行い、戸閉完了後に乗りかご１１を目的階に向けて出発させる（ステップＳ３４）。
【００７９】
なお、検知エリアＥ２−１，Ｅ２−２内で利用者または物の存在が検知されなくても、例えば検知エリアＥ４で利用者の接近が検知されていれば、エレベータ制御装置３０は、利用者が乗りかご１１に乗車するまでの間、戸開状態を維持するか、あるいは、かごドア１３の戸開速度を通常より遅くするなどの対応処理を実行する。つまり、エレベータ制御装置３０は、各検知エリアＥ１〜Ｅ４で得られる検知結果に基づいて、それぞれの検知結果に応じた対応処理を行う。
【００８０】
さらに、乗りかご１１が各階の乗場１５に停止したときに、検知エリアＥ３，Ｅ４で利用者の移動を追跡することで、各階毎に乗りかご１１に乗車する利用者の人数（乗車人数）や乗りかご１１から降車する人数（降車人数）を検知することができ、その検知結果を乗りかご１１の運転制御に反映させることができる。
【００８１】
なお、図６のフローチャートでは、乗りかご１１の戸開動作中にエリア毎に検知処理を行う場合を想定して説明したが、乗りかご１１の戸閉動作中でも同様である。すなわち、戸閉動作中に検知エリアＥ１〜Ｅ４毎に検知処理を行い、その検知結果に応じた対応処理を実行する。これにより、例えばかごドア１３が閉まりかけている途中で、検知エリアＥ３で利用者が検知された場合に、かごドア１３をリオープンして利用者を乗車させることができる。
【００８２】
また、乗りかご１１の昇降動作中（移動中）でも適用可能である。この場合、乗りかご１１内に設定された検知エリアＥ１，Ｅ２が検知対象となり、乗りかご１１の昇降動作中（移動中）にこれらのエリア毎に検知処理を行い、その検知結果に応じた対応処理を実行すれば良い。
【００８３】
さらに、何らかの原因で乗りかご１１の運転が停止しているときでも適用可能である。この場合も乗りかご１１内に設定された検知エリアＥ１，Ｅ２が検知対象となる。例えば地震により、乗りかご１１が戸閉状態で緊急停止していたときに、乗りかご１１の床面１９に設定された検知エリアＥ１内の画像から利用者の乗車人数等を検知して、図示せぬ監視センターに発報すれば、かご内閉じ込め事故に対して迅速に対応することができる。
【００８４】
このように本実施形態によれば、超広角レンズを有するカメラを用いて、そのカメラの撮影画像上で複数の検知エリアを設定し、それぞれに異なる検知処理を行う構成により、複数台のカメラを必要とせずに、１台のカメラだけで複数の検知機能を実現できる。これにより、安価で簡易な構成で、エレベータの安全性や利便性を高めることができる。
【００８５】
（応用例）
上記実施形態では、１台の乗りかごを例にして説明したが、複数台の乗りかごを有するエレベータの群管理システムに対しても適用できる。
【００８６】
図１５はエレベータの群管理システムの構成を示す図であり、複数台（ここではＡ〜Ｄ号機の４台）の乗りかごが群管理された構成が示されている。
【００８７】
各号機の乗りかご５１ａ〜５１ｄには、図１に示した乗りかご１１と同様に、魚眼レンズ等の超広角レンズを有するカメラ１２ａ〜１２ｄがそれぞれに設置されている。カメラ１２ａは、乗りかご５１ａ内を撮影すると共に戸開時には乗りかご５１ａの出入口付近の乗場を撮影して、その撮影画像を画像処理装置２０ａに送る。カメラ１２ｂ〜１２ｄについても同様であり、それぞれに乗りかご５１ｂ〜５１ｄ内を撮影すると共に戸開時には乗りかご５１ｂ〜５１ｄの出入口付近の乗場を撮影して、その撮影画像を画像処理装置２０ｂ〜２０ｄに送る。
【００８８】
画像処理装置２０ａ〜２０ｄは、図１に示した画像処理装置２０と同様に、撮影画像上で複数の検知エリアを設定すると共に、これらの検知エリア毎に検知処理を実行する機能を備える。
【００８９】
ここで、各号機のエレベータ制御装置３０ａ〜３０ｄでは、それぞれに画像処理装置２０ａ〜２０ｄから得られるエリア毎の検知結果に基づいて戸開閉制御を行うが、さらに上位装置である群管理制御装置５０において、例えば下記のような制御を行うようにしても良い。
【００９０】
（１）乗場呼びに対する割当制御
新たな乗場呼びが発生した際に、画像処理装置２０ａ〜２０ｄから検知結果として出力される乗車人数（混雑度）に基づいて、各号機の乗りかご５１ａ〜５１ｄの中で比較的空いている乗りかごに当該乗場呼びを割り当てる。
【００９１】
（２）乗りかごの休止
画像処理装置２０ａ〜２０ｄから検知結果として出力される乗りかごの状況に応じて、何らかの異常が発生している乗りかごの運転を休止制御する。
【００９２】
（３）特定階での乗りかごの待機
画像処理装置２０ａ〜２０ｄから検知結果として出力される利用者の有無に基づいて、利用者が乗車していない乗りかごを特定階に待機させておく。特定階とは、利用者の乗車頻度の高い基準階などが含まれる。
【００９３】
以上述べた少なくとも１つの実施形態によれば、１台のカメラで複数の検知機能を実現することのできるエレベータの利用者検知システムを提供することができる。
【００９４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１１…乗りかご５１ａ…幕板、１２…カメラ、１３…かごドア、１４…乗場ドア、１５…乗場、１６…乗場の床面、１７ａ，１７ｂ…三方枠、１８…乗場シル、１９…乗りかごの床面、２０…画像処理装置、２１…記憶部、２２…検知部、２２ａ…検知エリア設定部、２２ｂ…検知処理部、３０…エレベータ制御装置、３１…運転制御部、３２…戸開閉制御部、３３…通知部、４１ａ，４１ｂ…正面柱、４１ａ−１，４１ｂ−１…正面柱の内側側面、４２ａ，４２ｂ…戸袋、４３…表示器、４４…行先階ボタン、４５…操作盤、４６…スピーカ、４７…かごシル、４８ａ，４８ｂ…側面、４９…背面、５０…群管理制御装置、Ｅ１〜Ｅ４…検知エリア。
【図１】
2020179995.tif 000003
【図２】
2020179995.tif 000004
【図３】
2020179995.tif 000005
【図４】
2020179995.tif 000006
【図５】
2020179995.tif 000007
【図６】
2020179995.tif 000008
【図７】
2020179995.tif 000009
【図８】
2020179995.tif 000010
【図９】
2020179995.tif 000011
【図１０】
2020179995.tif 000012
【図１１】
2020179995.tif 000013
【図１２】
2020179995.tif 000014
【図１３】
2020179995.tif 000015
【図１４】
2020179995.tif 000016
【図１５】
2020179995.tif 000017
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
乗りかご内に設置され、超広角レンズを有し、少なくとも上記乗りかご内の全体を撮影可能な撮像手段と、
この撮像手段によって撮影された画像上で少なくとも２つ以上の検知エリアを設定する検知エリア設定手段と、
この検知エリア設定手段によって設定された検知エリア毎に上記乗りかごの運転動作に関連した検知処理を実行する検知処理手段と、
この検知処理手段の検知結果に基づいて、上記検知エリア毎に異なる対応処理を実行し、上記対応処理として、少なくとも上記乗りかごの運転制御と上記乗りかごのドアの開閉制御を含む制御手段と
を具備したことを特徴とするエレベータの利用者検知システム。
【請求項２】
上記撮像手段は、
上記乗りかご内の全体と上記乗りかごの出入口付近の乗場を撮影することを特徴とする請求項１記載のエレベータの利用者検知システム。
【請求項３】
上記乗りかごの運転動作に関連した検知処理には、上記乗りかごの戸開動作中あるいは戸閉動作中における利用者または物の検知処理が含まれることを特徴とする請求項１記載のエレベータの利用者検知システム。
【請求項４】
上記乗りかごの運転動作に関連した検知処理には、上記乗りかごの昇降動作中における利用者または物の検知処理が含まれることを特徴とする請求項１記載のエレベータの利用者検知システム。
【請求項５】
上記乗りかごの運転動作に関連した検知処理には、上記乗りかごの停止中における利用者または物の検知処理が含まれることを特徴とする請求項１記載のエレベータの利用者検知システム。
【請求項６】
上記検知エリア設定手段は、
少なくとも、上記乗りかごの床面に第１の検知エリアと上記乗りかごのドア近傍に第２の検知エリアを設定し、
上記検知処理手段は、
上記第１の検知エリアの画像に基づいて、上記乗りかご内の利用者の乗車状況を検知し、
上記第２の検知エリアの画像に基づいて、上記乗りかごのドアへの利用者の挟まれを事前に検知することを特徴とする請求項１、３、４、５のいずれか１項に記載のエレベータの利用者検知システム。
【請求項７】
上記検知エリア設定手段は、
少なくとも、上記乗りかごの出入口周辺の乗場に第３の検知エリアと上記乗場の上記乗りかごの出入口近傍に第４の検知エリアを設定し、
上記検知処理手段は、
上記第３の検知エリアの画像に基づいて、上記乗場の利用者の待ち状況を検知し、
上記第４の検知エリアの画像に基づいて、上記乗りかごの出入口に接近する利用者を検知することを特徴とする請求項２または３に記載のエレベータの利用者検知システム。
【請求項８】
上記撮像手段は、
上記乗りかごの出入口上部に設置されることを特徴とする請求項１記載のエレベータの利用者検知システム。
【請求項９】
上記対応処理には、上記乗りかご内の利用者に注意を喚起する通知処理が含まれることを特徴とする請求項１記載のエレベータの利用者検知システム。
【手続補正２】
【補正対象書類名】明細書
【補正対象項目名】０００６
【補正方法】変更
【補正の内容】
【０００６】
一実施形態に係るエレベータの利用者検知システムは、撮像手段と、検知エリア設定手段と、検知処理手段と、制御手段とを備える。上記撮像手段は、乗りかご内に設置され、超広角レンズを有し、少なくとも上記乗りかご内の全体を撮影する。上記検知エリア設定手段は、この撮像手段によって撮影された画像上で少なくとも２つ以上の検知エリアを設定する。上記検知処理手段は、この検知エリア設定手段によって設定された検知エリア毎に上記乗りかごの運転動作に関連した検知処理を実行する。上記制御手段は、この検知処理手段の検知結果に基づいて、上記検知エリア毎に異なる対応処理を実行し、上記対応処理として、少なくとも上記乗りかごの運転制御と上記乗りかごのドアの開閉制御を含むことを特徴とする。